(57)【要約】      （修正有）【課題】竿部材を装着しやすく、また簡単には抜けにくい状態で安定感よく保持することができるホルダーを備えたバッグを提供する。【解決手段】バッグ本体２に竿部材６０を保持可能なホルダー４が装備されたバッグ１であって、ホルダー４が、上部開口部４１及び下部開口部４２を備えた筒状部４３と、バック本体２に設けられた基端部を回動中心として上方向に回動されると下部開口部４２を閉じるように構成された底部材４４と、下部開口部４２と底部材４４との隙間Ｓに竿部材６０の竿尻部６１を挟持させた状態で底部材４４を支持し得る支持部材としてのベルト部材５０とを装備する。【選択図】図５
0003200451.tif 000002
【実用新案登録請求の範囲】
【請求項１】
バッグ本体に竿部材を保持可能なホルダーが装備されたバッグであって、
前記ホルダーが、
上部開口部及び下部開口部を備えた筒状部と、
前記バック本体に設けられた基端部を回動中心として上方向に回動されると前記下部開口部を閉じるように構成された底部材と、
前記下部開口部と前記底部材との隙間に前記竿部材の竿尻部を挟持させた状態で前記底部材を支持し得る支持部材とを備えていることを特徴とするバッグ。
【請求項２】
前記支持部材が、
一端が前記底部材の底面側に取り付けられ、他端が前記筒状部の側面に取り付けられたベルト部材を含んで構成され、該ベルト部材が、長さを調整できるものであることを特徴とする請求項１記載のバッグ。
【請求項３】
前記底部材が、内部にバネ性を有する薄板部材を含んで構成されていることを特徴とする請求項１又は請求項２記載のバッグ。
【請求項４】
前記筒状部の前記下部開口部の縁部、及び／又は前記底部材の縁部に、すべり止め部材が取り付けられていることを特徴とする請求項１〜３のいずれかの項に記載のバッグ。
【請求項５】
前記筒状部が、前記竿部材よりも径が大きい飲料容器を収容可能な大きさで構成されていることを特徴とする請求項１〜４のいずれかの項に記載のバッグ。
【請求項６】
前記筒状部と前記底部材とが、内部に断熱層を備えていることを特徴とする請求項５記載のバッグ。
【請求項７】
前記筒状部と前記底部材との内側面が、防水性シート部材で構成されていることを特徴とする請求項１〜６のいずれかの項に記載のバッグ。
【請求項８】
前記バッグ本体の両側部から一対の腰巻用ベルト部材が延設されていることを特徴とする請求項１〜７のいずれかの項に記載のバッグ。
【請求項９】
肩掛け用ベルト部材を吊り下げるための係止部が前記バッグ本体に設けられていることを特徴とする請求項１〜８のいずれかの項に記載のバッグ。
【考案の詳細な説明】
【技術分野】
【０００１】
本考案はバッグに関し、より詳細には、竿部材が保持可能なホルダーを備えたバッグに関する。
【背景技術】
【０００２】
実釣時の利便性を高めるために、釣竿や網等の釣り用具である竿部材を保持するホルダーを備えた釣り用バッグが、下記の特許文献１、２等に開示されている。特許文献１に開示されている釣り用バッグでは、バッグ（容器）本体の外側面に有底細筒状のホルダーが装着され、該ホルダーに竿尻部（竿下端部分）を挿入することで、竿部材を立てた状態で保持できるように構成されている。
【０００３】
また、特許文献２に開示されている釣り用バッグでは、バッグ（筐体）本体の側壁部に、竿部材を保持可能な有底細筒状のホルダーが装着され、該ホルダーの底部材が有底状態と開放状態とに切換可能に構成されている。
【０００４】
特許文献１、２に開示されているような従来の竿部材を保持するホルダーは、竿部材を立てた状態で横方向にぐらつくことなく保持できるように細筒状に形成され、ホルダーの側壁部で竿尻部を支持するように構成されている。しかしながら、従来のホルダーでは、竿部材は上方向に対して簡単に抜けてしまうため、移動中等にバッグが揺れて傾いたりすると簡単に抜け落ちてしまうという課題があった。
【０００５】
また、従来の竿部材を保持するホルダーは、挿着時における竿部材の傾きが大きくならないように、竿部材よりも少し径が大きい程度の細筒状に形成されており、竿部材よりも明らかに径が太い他の物品を収容するという機能は装備されていなかった。
【先行技術文献】
【特許文献】
【０００６】
【特許文献１】特開２０１０−１７８６４８号公報
【特許文献２】特開２０１３−４６５８１号公報
【考案の概要】
【課題を解決するための手段及びその効果】
【０００７】
本考案は上記課題に鑑みなされたものであって、竿部材を装着しやすく、また簡単には抜けにくい状態で安定感よく保持することができるホルダーを備えたバッグを提供することを目的としている。
【０００８】
上記目的を達成するために本考案に係るバッグ（１）は、バッグ本体に竿部材を保持可能なホルダーが装備されたバッグであって、前記ホルダーが、上部開口部及び下部開口部を備えた筒状部と、前記バック本体に設けられた基端部を回動中心として上方向に回動されると前記下部開口部を閉じるように構成された底部材と、前記下部開口部と前記底部材との隙間に前記竿部材の竿尻部を挟持させた状態で前記底部材を支持し得る支持部材とを備えていることを特徴としている。
【０００９】
上記バッグ（１）によれば、前記底部材が前記支持部材により前記筒状部の前記下部開口部に支持されるため、前記下部開口部と前記底部材との隙間に前記竿部材の竿尻部を挟持させることが可能となる。したがって、前記筒状部の前記上部開口部から前記竿部材を容易に挿入することができる一方、前記竿部材の竿尻部を前記下部開口部と前記底部材との隙間に挟持させることができ、前記竿部材を簡単には抜けにくい状態で安定感よく保持することができる。
【００１０】
また本考案に係るバッグ（２）は、上記バッグ（１）において、前記支持部材が、一端が前記底部材の底面側に取り付けられ、他端が前記筒状部の側面に取り付けられたベルト部材を含んで構成され、該ベルト部材が、長さを調整できるものであることを特徴としている。
【００１１】
上記バッグ（２）によれば、前記底部材における前記ベルト部材の両脇部分に前記隙間を形成することが可能となり、また、前記ベルト部材の長さを調整することにより、前記隙間のサイズを調整することができ、前記隙間での前記竿尻部の挟み具合、すなわち、前記竿尻部を強めに挟んだ状態（抜けにくい状態）にするのか、又は弱めに挟んだ状態（抜けやすい状態）にするのかを適宜状況に応じて調整することができる。
【００１２】
また本考案に係るバッグ（３）は、上記バッグ（１）又は（２）において、前記底部材が、内部にバネ性を有する薄板部材を含んで構成されていることを特徴としている。
【００１３】
上記バッグ（３）によれば、前記底部材の内部にバネ性を有する薄板部材が含まれているので、前記竿部材の竿尻部を前記隙間に挿し込んだ場合に、下方に押し込まれた前記薄板部材のバネ力（復元力）により、前記隙間における前記竿尻部の挟持力を高めることができ、簡単には抜けにくい状態で保持することができる。
【００１４】
また本考案に係るバッグ（４）は、上記バッグ（１）〜（３）のいずれかにおいて、前記筒状部の前記下部開口部の縁部、及び／又は前記底部材の縁部に、すべり止め部材が取り付けられていることを特徴としている。
【００１５】
上記バッグ（４）によれば、前記筒状部の前記下部開口部の縁部、及び／又は前記底部材の縁部に、すべり止め部材が取り付けられているので、前記竿尻部を前記隙間に挿し込んだときに、前記すべり止め部材を介して前記竿尻部が挟持されるので、より抜けにくい状態で保持することができる。
【００１６】
また本考案に係るバッグ（５）は、上記バッグ（１）〜（４）のいずれかにおいて、前記筒状部が、前記竿部材よりも径が大きい飲料容器を収容可能な大きさで構成されていることを特徴としている。
【００１７】
上記バッグ（５）によれば、前記竿部材の代わりに前記飲料容器を前記ホルダーに収容することができるので、前記ホルダーを前記竿部材用及び前記飲料容器用として兼用することができ、利便性を高めることができる。
【００１８】
また本考案に係るバッグ（６）は、上記バッグ（５）において、前記筒状部と前記底部材とが、内部に断熱層を備えていることを特徴としている。
【００１９】
上記バッグ（６）によれば、前記筒状部と前記底部材との内部に断熱層が装備されているので、前記飲料容器を収納した場合における前記ホルダーの保温性及び保冷性を高めることができる。
【００２０】
また本考案に係るバッグ（７）は、上記バッグ（１）〜（６）のいずれかにおいて、前記筒状部と前記底部材との内側面が、防水性シート部材で構成されていることを特徴としている。
【００２１】
上記バッグ（７）によれば、前記筒状部と前記底部材との内側面に防水性シート部材が設けられているので、前記ホルダーの内部に水分が浸透しにくく防水性及び防汚性を高めることができる。
【００２２】
また本考案に係るバッグ（８）は、上記バッグ（１）〜（７）のいずれかにおいて、前記バッグ本体の両側部から一対の腰巻用ベルト部材が延設されていることを特徴としている。
【００２３】
上記バッグ（８）によれば、腰部に取り付けるウエストポーチとして使用することができ、着用時に使用者が両手を使うことができる使い勝手のよいバッグとすることができる。
【００２４】
また本考案に係るバッグ（９）は、上記バッグ（１）〜（８）のいずれかにおいて、肩掛け用ベルト部材を吊り下げるための係止部が前記バッグ本体に設けられていることを特徴としている。
【００２５】
上記バッグ（９）によれば、肩から吊るすショルダーバッグとして使用することができ、着用時に使用者が両手を使うことができる使い勝手のよいバッグとすることができる。
【図面の簡単な説明】
【００２６】
【図１】本考案の実施の形態に係るバッグを示す外観斜視図である。
【図２】実施の形態に係るバッグのホルダー部分を示す図であり、（ａ）はホルダーの底部材を閉じた状態を示す正面図、（ｂ）はホルダーの底部材を閉じた状態を示す底面図である。
【図３】図２（ｂ）におけるIII−III線断面図である。
【図４】実施の形態に係るバッグのホルダーの底部材を開いた状態を示す正面図である。
【図５】実施の形態に係るバッグのホルダーに竿部材が保持された状態を示す部分斜視図である。
【考案を実施するための形態】
【００２７】
以下、本考案に係るバッグの実施の形態を図面に基づいて説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
図１は、実施の形態に係るバッグを示す外観斜視図である。図２は、実施の形態に係るバッグのホルダー部分を示す図であり、（ａ）はホルダーの底部材を閉じた状態を示す正面図、（ｂ）はホルダーの底部材を閉じた状態を示す底面図である。図３は、図２（ｂ）におけるIII−III線断面図である。図４は、実施の形態に係るバッグのホルダーの底部材を開いた状態を示す正面図である。
【００２８】
バック１は、使用者が肩部から掛ける、手で持つ、又は腰部に巻き付けて着用できるものであり、内部にエギなどの釣道具を入れて釣り場に移動し、バッグ１を着用したままで釣りが行えるように構成されている。バッグ１は、有底略箱形状をしたバッグ本体２と、バッグ本体２の上面を開閉する蓋部３と、竿部材などを保持可能なホルダー４とを含んで構成されている。なお、バッグ１は、釣り以外の場面でも利用可能であることは言うまでもない。
【００２９】
バッグ本体２は、前壁部１１と、前壁部１１に対向する後壁部１２と、前壁部１１の左右両端部と後壁部１２の左右両端部とを連結する一対の側壁部１３、１４とを含んで構成されている。使用者がバック１を着用した際には、後壁部１２が使用者の身体に近い側に配置される。すなわち、後壁部１２の外面が使用者の身体（腰部等）に当接するように使用される。
【００３０】
前壁部１１の外面には、該外面略全域にわたる第１のポケット部１５が設けられており、第１のポケット部１５には、上面及び両側面にわたるスライドファスナー１６が設けられている。また、後壁部１２の左右両端部には、腰ベルト部材１７が略水平方向に延設されている。腰ベルト部材１７は、後壁部１２の左右両端部にそれぞれ取り付けられた太幅の耳部１８と、これら耳部１８に取り付けられた細幅のベルト部１９と、ベルト部１９の先端部を連結する留め具（バックル）２０とを含んで構成されている。また、後壁部１２の上端部には、持ち手２１が取り付けられている。
【００３１】
各側壁部１３、１４の外面上部には、バッグ１を使用者の肩部に掛けるための肩ベルト２２のフック２３を係合するリング部材２４がそれぞれ取り付けられている。また、一方の側壁部１３の外面には、該外面略全域にわたる第２のポケット部（図示せず）が設けられており、第２のポケット部には、上面及び両側面上部にわたるスライドファスナー（図示せず）が設けられている。
【００３２】
蓋部３は、左右に長い略楕円弧状に形成され、固定端となる基端部３１が前壁部１１の上端部に設けられ、後壁部１２側の先端部３２が自由端となるように構成されている。基端部３１を回動中心として、手前方向（後壁部１２側）に回動させることでバッグ１の上面を閉口することができ、手前から遠くなる方向（前壁部１１側）へ回動させることでバッグ１の上面を開口することができるようになっている。また、蓋部３とバック本体２の後壁部１２及び両側壁部１３、１４の上端部との境界部分には、スライドファスナー３３が設けられている。
【００３３】
また、他方の側壁部１４の外面には、該外面略全域にわたるホルダー４が設けられている。ホルダー４は、上部開口部４１及び下部開口部４２を備えた筒状部４３と、下部開口部４２の下に配置される底部材４４と、底部材４４を支持する支持部材としてのベルト部材５０とを含んで構成されている。
【００３４】
筒状部４３は、左右両端部が側壁部１４の両端部に縫着され、５００ｍｌ程度のペットボトルが収容可能な大きさの平面視略半円弧状に形成されている。なお、筒状部４３の形状は、平面視略半円弧状に限定されるものではない。筒状部４３は柔軟性を有し、図３に示すように、外布４３ａ、内布４３ｂ、及び外布４３ａと内布４３ｂとの間に内包された断熱部材４３ｃを含んで構成されている。外布４３ａは、ナイロンやポリエステル等の繊維が使用された撥水性を有する布材で構成され、内布４３ｂは、ビニール等の防水性を有する防水シート部材で構成されている。断熱部材４３ｃは、空気層を有する発泡シート、発泡材、綿状繊維及び／又は断熱アルミシートなどで構成されている。筒状部４３の下部開口部４２の縁部には、すべり止め部材４３ｄが取り付けられている。すべり止め部材４３ｄには、エンボス加工が施された布材、ゴム製シート材などが使用される。
また、筒状部４３の上部には、左右両端部が側壁部１４の両端部に縫着されたベルト部材４６が設けられており、ベルト部材４６には、長さ調整部４７が設けられており、ベルト部材４６の長さを調整して、筒状部４３の上部開口部４１の大きさを調整することができるようになっている。
【００３５】
底部材４４は、筒状部４３の下部開口部４２の形状に合わせて、この場合略半円弧状に形成され、固定端となる基端部４５がバック本体２の側壁部１４下端部（下辺部）に設けられ、基端部４５を回動中心として上方向に回動されると下部開口部４２を閉じるように構成されている。底部材４４は、外布４４ａ、内布４４ｂ、並びに外布４４ａと内布４４ｂとの間に内包されたバネ性を有する薄板部材４４ｃ及び断熱部材４４ｄを含んで構成されている。外布４４ａは、ナイロンやポリエステル等の繊維が使用された撥水性を有する布材で構成され、内布４４ｂは、ビニール等の防水性を有する防水シート部材で構成されている。薄板部材４４ｃは、塩化ビニール、アクリル、ポリカーボネートなどからなるバネ性を有する薄いプラスチック板やシート状部材などで構成され、断熱部材４４ｄは、空気層を有する発泡シート、発泡材、綿状繊維及び／又は断熱アルミシートなどで構成されている。底部材４４の縁部には、すべり止め部材４４ｅが取り付けられている。すべり止め部材４４ｅには、エンボス加工が施された布材、ゴム製シート材などが使用される。
【００３６】
支持部材としてのベルト部材５０は、筒状部４３の下部開口部４２と底部材４４との隙間Ｓに竿部材の竿尻部を挟持させた状態で底部材４４を支持し得るものであり、本実施の形態では、底部材４４の基端部４５よりも横幅の狭いベルト部材５０で構成され、底部材４４下面のベルト部材５０の両脇部に竿尻部を挟持可能な隙間Ｓが形成可能となっている。ベルト部材５０は、一端が底部材４４の底面側に取り付けられ、他端が筒状部４３の側面に取り付けられ、中間部分に留め具（バックル）５１が設けられている。
【００３７】
留め具５１は、底部材４４に取り付けられたベルト５０ａに取り付けられた被係合部５１ａと、筒状部４３に取り付けられたベルト５０ｂに取り付けられた係合部５１ｂとで構成され、被係合部５１ａには、ベルト５０ａの折り返し長さを調整できる長さ調整部５１ｃが設けられている。ベルト５０ａの先端を引っ張ることで、ベルト５０ａの長さを短くすることができ、一方、被係合部５１ａを引っ張ることで、ベルト５０ａの長さを伸ばすことができる。なお、長さ調整部５１ｃの構成は、この形態に限定されるものではなく、また、係合部５１ｂに長さ調整部を設ける構成とすることもできる。また、ベルト部材５０は、布製のベルト材の他、伸縮性を有するゴム製のベルト材などで構成することができる。
【００３８】
図５は、実施の形態に係るバッグのホルダーに竿部材が保持された状態を示す部分斜視図である。
バッグ１のホルダー４に竿部材６０を保持させる場合、底部材４４がベルト部材５０で支持されている状態のホルダー４に竿部材６０の竿尻部６１を上部開口部４１から挿し込み、竿尻部６１を、底部材４４の一端部（ベルト部材５０の一方の側部）に当て、竿部材６０に取り付けられたリール６２が筒状部４３の上部開口部４１に係止されるまで挿し込むと、底部材４４の片側（竿尻部６１が当接された側）が下方に少し押し下げられた状態となり、筒状部４３の下部開口部４２の縁部（すべり止め部材４３ｄ）と底部材４４の縁部（すべり止め部材４４ｅ）とで、竿尻部６１が挟持された状態で保持される。ベルト部材５０の長さを短くなるように調整する（ベルト５０ａの先端を引っ張る）ことで、竿尻部６１を挟持する力の程度を調整することが可能となっている。また、底部材４４の両端部（ベルト部材５０の両脇部）に形成される隙間Ｓに、それぞれ竿部材６０の竿尻部６１を挿着して、ホルダー４に２本の竿部材６０を保持させることもできる。また、ベルト部材５０の留め具５１の係合を解除した状態、すなわち、底部材４４を開放した状態にして、竿部材６０に取り付けられたリール６２を筒状部４３の上部開口部４１に係止させて保持することもできる。
【００３９】
上記実施の形態に係るバッグ１によれば、底部材４４が支持部材としてのベルト部材５０により筒状部４３の下部開口部４２に支持されるため、下部開口部４２と底部材４４との隙間Ｓに竿部材６０の竿尻部６１を挟持させることが可能となる。したがって、ペットボトルを収容可能な大きな開口を有する筒状部４３の上部開口部４１から竿部材６０を容易に挿入することができる一方、竿部材６０の竿尻部６１を下部開口部４２と底部材４４との隙間Ｓに挿した状態で挟持させることができ、竿部材６０を簡単には抜けない状態で安定感よく保持することができる。
【００４０】
またバッグ１によれば、底部材４４におけるベルト部材５０の両脇部に隙間Ｓが形成され、ベルト部材５０の長さを調整することにより、隙間Ｓのサイズを調整することができ、隙間Ｓでの竿尻部６１の挟み具合、すなわち、竿尻部６１を強めに挟んだ状態（抜けにくい状態）にするのか、又は弱めに挟んだ状態（抜けやすい状態）にするのかを適宜状況に応じて調整することができる。また、底部材４４の内部にバネ性を有する薄板部材４４ｃが配置されているので、竿尻部６１を隙間Ｓに挿し込んだ場合に、下方に押し下げられた薄板部材４４ｃのバネ力（復元力）により、隙間Ｓにおける竿尻部６１の挟持力を高めることができ、簡単には抜けにくい状態で保持することができる。
【００４１】
またバッグ１によれば、筒状部４３の下部開口部４２の縁部及び底部材４４の縁部に、すべり止め部材４３ｄ、４４ｅが取り付けられているので、竿尻部６１を隙間Ｓに挿し込んだときに、すべり止め部材４３ｄ、４４ｅを介して竿尻部６１が挟持されるので、より抜けにくい状態で保持することができる。
またバッグ１によれば、筒状部４３が、竿部材６０よりも径が大きいペットボトルを収容可能な大きさで構成されているので、竿部材６０の代わりにペットボトル等の容器をホルダー４に収容することができるので、ホルダー４を竿部材用及び飲料容器用として兼用することができ、利便性を高めることができる。
【００４２】
またバッグ１によれば、筒状部４３と底部材４４との内部に断熱部材４３ｃ、４４ｄが内包されているので、飲料容器を収納した場合におけるホルダー４の保温性及び保冷性を高めることができる。
またバッグ１によれば、筒状部４３と底部材４４との内布４３ｂ、４４ｂが、防水性シート部材で構成されているので、ホルダー４の内部に水分が浸透しにくく防水性及び防汚性を高めることができる。
またバッグ１によれば、バッグ本体２の両側部から腰ベルト部材１７が延設され、また肩ベルト２２を吊り下げるためのリング部材２４がバッグ本体２に設けられているので、腰部に取り付けるウエストポーチとして使用することができるともに、肩から吊るすショルダーバッグとしても使用することができ、使い勝手を向上させることができる。
【符号の説明】
【００４３】
１  バッグ
２  バッグ本体
３  蓋部
４  ホルダー
４１  上部開口部
４２  下部開口部
４３  筒状部
４４  底部材
４５  基端部
５０  ベルト部材（支持部材）
６０  竿部材
６１  竿尻部
Ｓ  隙間
【図１】
0003200451.tif 000003
【図２】
0003200451.tif 000004
【図３】
0003200451.tif 000005
【図４】
0003200451.tif 000006
【図５】
0003200451.tif 000007